(57)【特許請求の範囲】
【請求項１】
長手方向及び短手方向でピッチの異なる少なくとも４個のビス孔を周辺部に有し、各ビス孔にビスを通して固定部に固定される器具を梱包するための梱包用ダンボール箱のいずれかの部分に、前記長手方向のピッチと等しいピッチで長手罫書き用マークを設けると共に、前記短手方向のピッチと等しいピッチで短手罫書き用マークを設け、長手罫書き用マークを設けた部分を切り取り、短手罫書き用マークを設けた部分を切り取り、前記長手罫書き用マークを設けた部分の辺と前記短手罫書き用マークとの位置を合わせると共に前記短手罫書き用マークを設けた部分の辺と前記長手罫書き用マークとの位置を合わせて各部分を枠状に貼り合わせ、この枠状に貼り合わせた部分を前記固定部に宛がって、前記長手罫書き用マークを設けた部分の辺と前記短手罫書き用マークを設けた部分の辺との交点に各ビス孔の相当位置を罫書くことを特徴とする梱包用ダンボール箱を用いた器具の取付用ビス孔位置罫書き方法。
【発明の詳細な説明】
【０００１】
【発明の属する技術分野】
本発明は、器具を梱包する梱包用ダンボール箱であって、該器具の取付ビス孔位置を固定部に罫書き、罫書いたビス孔位置にビスを締結して該器具を固定部に固定する、器具の梱包用ダンボール箱を用いた器具の取付用ビス孔位置罫書き方法に関する。
【０００２】
【従来の技術】
一般に、プレハブ冷蔵庫等のプレハブ低温庫では、庫内を囲む断熱箱体の天井を構成する天井パネルの固定部に照明装置、冷却装置等の器具が取り付けられる。
【０００３】
器具を取り付ける方法として、複数のビスを天井パネルに緩めた状態で取り付け、これら緩めた状態のビスに器具を嵌合させて仮止めし、ビスを本締めして器具を取り付ける方法がある。この器具の取付方法では、先にビスのみを緩めた状態で取り付けるので、天井パネルに器具の取付ビス孔位置を罫書かなければならない。
【０００４】
従来、器具の取付用ビス孔位置の罫書き方法として、（１）器具を天井パネルに押し付けて現物合わでビス孔位置を罫書く方法、（２）複数のビスの相対的なビス孔位置の寸法をメジャー等により計測してビスのビス孔位置を罫書く方法、（３）ビス孔位置が印刷等されている型紙を用いてビスのビス孔位置を罫書く方法等が提案されている。
【０００５】
【発明が解決しようとする課題】
しかしながら、（１）の方法は、器具を支持する作業者とビス孔位置を罫書く作業者の二人が必要となり、作業性が悪いという問題がある。
【０００６】
また、（２）の方法は、寸法を計測する手間がかかると共に、寸法の読み違いが発生する虞がある。
【０００７】
また、（３）の方法は、型紙を添付すると部品数が増加し、全体のコストが上昇するという問題がある。また、型紙が薄い場合には型紙がたるんでしまい、型紙を当てても正確なビス孔位置が罫書けないことがある。さらに、硬質材料で形成された型紙（例えばプラスチック板）の場合には、型紙の製造コストが高くなるという問題がある。
【０００８】
そこで、本発明の目的は、上述した従来の技術が有する課題を解消し、寸法を計測することなく、梱包用ダンボール箱に梱包される器具の取付用ビス孔位置を容易に且つ低コストで罫書くことを可能とする、器具の梱包用ダンボール箱を用いた器具の取付用ビス孔位置罫書き方法を提供することにある。
【０００９】
【課題を解決するための手段】
本発明は、長手方向及び短手方向でピッチの異なる少なくとも４個のビス孔を周辺部に有し、各ビス孔にビスを通して固定部に固定される器具を梱包するための梱包用ダンボール箱のいずれかの部分に、前記長手方向のピッチと等しいピッチで長手罫書き用マークを設けると共に、前記短手方向のピッチと等しいピッチで短手罫書き用マークを設け、長手罫書き用マークを設けた部分を切り取り、短手罫書き用マークを設けた部分を切り取り、前記長手罫書き用マークを設けた部分の辺と前記短手罫書き用マークとの位置を合わせると共に前記短手罫書き用マークを設けた部分の辺と前記長手罫書き用マークとの位置を合わせて各部分を枠状に貼り合わせ、この枠状に貼り合わせた部分を前記固定部に宛がって、前記長手罫書き用マークを設けた部分の辺と前記短手罫書き用マークを設けた部分の辺との交点に各ビス孔の相当位置を罫書くことを特徴とする梱包用ダンボール箱を用いた器具の取付用ビス孔位置罫書き方法である。
【００１０】
本発明によれば、梱包用ダンボール箱のいずれかの部分の長手罫書き用マークのピッチ及び短手罫書き用マークのピッチを用いてビス孔位置を罫書くので、ビス孔のピッチを計測してビス孔位置を罫書く必要がなくなる。また、梱包用ダンボール箱のいずれかの部分を利用しているので、ビス孔位置を罫書くための型紙を別に設ける必要がなくなる。
【００１１】
【発明の実施の形態】
以下、本発明の一実施形態を図面に基づいて説明する。
【００１２】
図１において、符号１はプレハブ冷蔵庫等のプレハブ低温庫を示す。このプレハブ低温庫１は断熱箱体２を備え、この断熱箱体２の底面は複数の床パネル５ａを連結して構成され、断熱箱体２の側面は複数の側板パネル５ｂを連結して構成され、断熱箱体２の天面は複数の天井パネル５ｃを連結して構成される。符号６は扉パネルである。
【００１３】
連結された天井パネル５ｃの庫内に臨む面には、図２に示すように、蛍光灯１１を備えた照明装置（器具）１２が取り付けられ、この照明装置１２の両端には、天井パネルの固定部４ａにビス止めするための取付フランジ１３ａ、１３ｂが設けられている。一方の取付フランジ１３ａには２個のだるま孔（ビス孔）１４が形成され、各だるま孔１４は大孔部１４ａとこの大孔部１４ａに繋がる小孔部１４ｂとを備える。他方の取付フランジ１３ｂには２個の細長い切り欠き１５が形成されている。
【００１４】
プレハブ低温庫１は施工現場で組み立てられるので、工場等で製造された照明装置１２等は、図３に示すように、梱包用ダンボール箱２１に梱包されて施工現場まで輸送される。
【００１５】
梱包用ダンボール箱２１の内部には収納部２２が形成され、この収納部２２に前記照明装置１２とこの照明装置１２に接続される安定器２３とが収納される。また、梱包用ダンボール箱２１は、収納部２２を囲む一対の長手側壁板２４と一対の短手側壁板２５とを備え、各長手側壁板２４の上下各辺からは一対の長蓋２６Ａ及び一対の長蓋２６Ｂが延び、各短手側壁板２５の上下各辺からは一対の短蓋２７Ａ及び一対の短蓋２７Ｂが延びる。長蓋２６Ａ、２６Ｂ及び短蓋２７Ａ、２７Ｂは折り曲げ自在に構成され、上側の長蓋２６Ａ及び上側の短蓋２７Ａを内側に折り曲げることにより上面開口部２８を閉塞することができ、また、下側の長蓋２６Ｂ及び下側の短蓋２７Ｂを内側に折り曲げることにより下面開口部２９を閉塞することができる。
【００１６】
本実施形態では、下側の長蓋２６Ｂの内面に、図４に示すように、２個の丸点状の長手用目印（長手罫書き用マーク）３１が印刷され、各長蓋２６Ｂの長手用目印３１のピッチＰ１は照明装置１２のだるま孔１４と切り欠き１５とのピッチＰ１´（図２）に等しい。また、上側の短蓋２７Ａの外面には、図３に示すように、２個の丸点状の長手用目印（短手罫書き用マーク）３２が印刷され、各短蓋２７Ａの短手用目印３２のピッチＰ２は照明装置１２のだるま孔１４（又は切り欠き１５）同士のピッチＰ２´（図２）と等しい。
【００１７】
プレハブ低温庫１の施工現場では、断熱箱体２が組み立てられた後に、図２に示すように、梱包用ダンボール箱２１に収納されている照明装置１２が天井パネルの固定部４ａに取り付けられる。
【００１８】
照明装置１２を取り付けるときには、最初に４個のビス４１ａ、４１ｂを固定部４ａに緩めた状態で取り付け、２個のビス４１ｂをフランジ１３ｂの切り欠き１５に差し込み、次いで、残りの２個のビス４１ａをフランジ１３ａのだるま孔１４の大孔部１４ａに嵌め込み、嵌め込んだビス４１の位置を大孔部１４ａから小孔部１４ｂに移動させ、４個のビス４１ａ、４１ｂを本締めする。したがって、緩めた状態で取り付けられた４個のビス４１の相対的な位置はだるま孔１４及び切り欠き１５の位置に対応していなければならないので、ビス４１ａ、４１ｂを取り付ける前に、だるま孔１４に対応する相対的な位置（以下、ビス孔位置という）４２を罫書かなければならない。
【００１９】
図５を参照してビス孔位置の罫書き方法を説明する。
【００２０】
まず、梱包用ダンボール箱２１から２枚の長蓋２６Ｂと２枚の短蓋２７Ａとを例えばカッタ等により切り取る。
【００２１】
長蓋２６Ｂの機械切断辺（梱包用ダンボール箱２１の製造時に切断機等により切断された辺）３３ａと短蓋２７Ａの機械切断辺３４ａを内側に向けて長蓋２６Ｂと短蓋２７Ａとを枠状に配置し、短蓋２７Ａの機械切断辺３４ａと長蓋２６Ｂの長手用目印３１とを一致させると共に短蓋２７Ａの短手用目印３２と長蓋２６Ｂの機械切断辺３３ａとを一致させることにより、長蓋２６Ｂの機械切断辺３３ａと短蓋２７Ａの機械切断辺３４ａとを直交させる。そして、各蓋２６Ｂ、２７Ａの重なった部分を例えばテープで貼り合わせる。
【００２２】
枠状に貼り合せた長蓋２６Ｂと短蓋２７Ａを天井パネルの固定部４ａに宛がって、機械切断辺３３ａと機械切断辺３４ａとの各交点にビス孔位置４２を罫書く。
【００２３】
そして、罫書かれたビス孔位置４２にビス４１を緩めた状態で取り付ける。
【００２４】
別の実施形態として、目印３１、３２の代わりに、図６に示すように矢印５１、５２を印刷してもよい。
【００２５】
長蓋２６Ｂには２本の長手用矢印（長手罫書き用マーク）５１が印刷され、各長手用矢印５１長蓋２６Ｂの機械切断辺３３ａを指し示すと共に該機械切断辺３３ａに直交し、２本の長手用矢印５１のピッチＰ３はピッチＰ１´（図２）と等しい。また、短蓋２７Ａには短手用矢印（短手罫書き用マーク）５２が印刷され、各短手用矢印５２は短蓋２７Ａの機械切断辺３４ａを指し示すと共に該機械切断辺３４ａに直交し、２本の短手用矢印５２のピッチＰ４はピッチＰ２´（図２）と等しい。
【００２６】
ビス孔位置を罫書くときには、まず１枚の長蓋２６Ｂと１枚の短蓋２７Ａとを切り取り、長蓋２６Ｂを天井パネルの固定部４ａに宛がい、長手用矢印５１が指し示す位置に２個のビス孔位置４２ａ、４２ｂを罫書く。
【００２７】
次いで、短蓋２７Ａを長蓋２６Ｂの一方の長手用矢印５１内側に配置し、一方の長手用矢印５１と短蓋２７Ａの機械切断辺３４ａとを一致させると共に短蓋２７Ａの一方の短手用矢印５２と長蓋２６Ｂの機械切断辺３３ａとを一致させて、機械切断辺３４ａと機械切断辺３３ａとを直交させる。そして、他方の短手用矢印５２が指し示す位置にビス孔位置４２ｃを罫書く。
【００２８】
更に、長蓋２６Ａを固定部４ａに宛がったまま短蓋２７Ａを移動させ、この短蓋２７Ａを長蓋２６Ｂの他方の長手用矢印５１内側に配置し、他方の長手用矢印５１と短蓋２７Ａの機械切断辺３４ａとを一致させると共に短蓋２７Ａの一方の短手用矢印５２と長蓋２６Ａの機械切断辺３３ａとを一致させて他方の短手用矢印５２が指し示す位置にビス孔位置４２ｄを罫書く。
【００２９】
この別のビス孔位置罫書き方法では、長蓋２６Ｂと短蓋２７Ａとを貼りつける手間が省けるという効果を奏する。
【００３０】
上述した２つの実施形態では、梱包用ダンボール箱２１の長蓋２６Ｂと短蓋２７Ａとを用いてビス孔位置４２が罫書かれるので、別に型紙を設ける必要がなく、コストの上昇を抑制できる。
【００３１】
また、上述した実施形態では、長蓋２６Ｂ及び短蓋２７Ａを天井パネル５ｃに宛がってビス孔位置４２を罫書くので、例えば現物合わせでビス孔位置を罫書く場合のように、ビス孔位置４２を罫書く作業者以外の作業者が照明装置１２を支持する必要がなくなり、作業性を向上させることができる。
【００３２】
また、上述した実施形態では、ピッチＰ１´の間隔を有する長手用目印３１（又は長手用矢印）とピッチＰ２´の間隔を有する短手用目印３２（又は短手用矢印）とを用いてビス孔位置４２を罫書くので、例えばメジャーでピッチＰ１´、Ｐ２´を計測する必要がなくなり、作業性を向上させることができる。
【００３３】
以上、実施形態に基づいて本発明を説明したが、本発明はこれに限定されるものではない。本実施形態では、照明装置１２をビスで固定しているが、例えばボルトで固定する場合にも適用は可能である。また、本実施形態では、目印３１、３２又は矢印５１、５２を下面側の長蓋２６Ｂ、上面側の短蓋２７Ａに印刷しているが、例えば上面側の長蓋２６Ａ、下面側の短蓋２７Ｂ、或いは側壁板２４、２５に印刷してもよい。また、本実施形態では、天井パネル５ｃに取り付ける器具として照明装置１２を示しているが、それ以外の装置、例えば冷却ユニットでもよい。
【００３４】
【発明の効果】
本発明によれば、ダンボール箱のいずれかの部分に、長手方向のピッチと等しいピッチで長手罫書き用マークを設けると共に、短手方向のピッチと等しいピッチで短手罫書き用マークを設けたので、梱包用ダンボール箱のいずれかの部分の長手罫書き用マークのピッチ及び短手罫書き用マークのピッチを用いてビス孔位置を罫書くことが可能になり、ビス孔のピッチを計測してビス孔位置を罫書く必要がなくなる。また、梱包用ダンボール箱のいずれかの部分を利用しているので、ビス孔位置を罫書くための型紙を別に設ける必要がなくなる。
【図面の簡単な説明】
【図１】  プレハブ低温庫を示す斜視図である。
【図２】  プレハブ低温庫の照明装置の取付構造を示す斜視図である。
【図３】  本実施形態による梱包用ダンボール箱を示す斜視図である。
【図４】  梱包用ダンボール箱の底面を示す斜視図である。
【図５】  ビス孔位置罫書き方法を説明するための図である。
【図６】  別のビス孔位置罫書き方法を説明するための図である。
【符号の説明】
１  プレハブ低温庫
１２  照明装置
２１  梱包用ダンボール箱
２６Ａ、２６Ｂ  長蓋
２７Ａ、２７Ｂ  短蓋
３１  長手用目印（長手罫書き用マーク）
３２  短手用目印（短手罫書き用マーク）
５１  長手用矢印
５２  短手用矢印
【図１】
0003754219.tif 000002
【図２】
0003754219.tif 000003
【図３】
0003754219.tif 000004
【図４】
0003754219.tif 000005
【図５】
0003754219.tif 000006
【図６】
0003754219.tif 000007